(57)【要約】【課題】シンプルで使い勝手が良く、充分な昇降高さも確保出来る二段式駐車装置を考案し、駐車スペースの少ない都市部に住む人々に効率の良い二段式駐車設備を提供する。【解決手段】昇降シリンダー７の作動により小アーム４を介して回転軸３が回転し、軸に固定されたメインアーム５が回動して先端９が上昇すると共に、サブアーム６と交差し、フロアープレート１と支持枠１６とに造られた長孔をスライドして、水平を保ちながら昇降する装置を二段式駐車装置として使用することを考案。そのため、車両の昇降時干渉しない位置に連結バー２１を設け、同時に車高の高い車両もラクに入庫できるよう設置現場にて取付可能構造な支柱とした。そのことにより、ワンボックスカーまでも入庫出来る、シンプルで使い易い、開放感のあるアーム式二段駐車装置が実現した。【選択図】図４
2007309064.tif 000002
【特許請求の範囲】
【請求項１】
装置の荷台たるフロアープレートを左右一対のアームに連結して支持するプレート支持体は、ベース部と、そのベース部の左右両端に各々平行配置で設けられた左右一対の支持枠とにより平面方向視形状がコ字状に形成され、前記ベース部と左右の支持枠で囲まれた内部空所に嵌合する大きさのフロアープレートが垂直方向に昇降自在であることを特徴とするアーム式二段駐車装置。
【請求項２】
小アームが固定された回転軸が、左右の各支持枠に亘って回動自在に支持され、昇降用油圧シリンダーの一端が支持枠内に固定され、その他端が前記の小アームに連結されていると共に、回転軸の端部に左右のメインアームの一端が固定され、その他端がフロアープレートの左右の側面に各々ピンで連結されており、昇降用油圧シリンダーの伸縮動作にしたがって、小アームと回転軸が回動するに伴い、左右のアームの他端とフロアープレートが昇降自在に構成されていることを特徴とする、請求項１に記載したアーム式二段駐車装置。
【請求項３】
装置のアームは、メインアームとサブアームとが交差し、ピン連結されていると共に、フロアープレートの左右の各側面の先端寄り部位に長円形状のガイド孔が形成され、一対の支持枠の各側面の内寄り部位にも長円形状のガイド孔が形成されている。前記各メインアームの一端は回転軸の端部に固定され、その他端が前記フロアープレートのガイド孔をスライド移動可能にピンにて連結され、それと交差するサブアームはメインアームを挟むように、交差中心部で回転可能な一体構造である。下側の一端は前記支持枠のガイド孔をスライド移動自在にピンにて連結され、その上側の他端はフロアープレート側面に連結され、フロアープレートを水平に保ち、ほぼ垂直に昇降させることを特徴とする、請求項１及び２に記載したアーム式二段駐車装置。
【請求項４】
前記装置支持枠の下部に必要高さの支柱を可能な限り車両後部に設置し、車両を傷つけず、スムーズな車両の二段駐車及び昇降を可能とするを特徴とする、請求項１〜３に記載したアーム式二段駐車装置。
【発明の詳細な説明】
【技術分野】
【０００１】本発明は家庭や事務所、あるいは各種施設等において、駐車スペースを有効に、二段に駐車可能にするための装置で、軽車両から普通乗用車、ワンボックスカーまで、幅広く二段駐車出来る装置である。
【背景技術】
【０００２】二段駐車装置は既に多くの装置が考えられており、普及もしてきているが、違法駐車による交通事故もあり、違法駐車の取り締まり、あるいは家庭での二台目の駐車スペースが無く、車での来客時などからもこうした装置を検討する人は多いはずである。しかし、もう一歩伸びが無いように思われる。理由の一つに使い勝手が思わしくないように感じられる。特開平９−２７９８７９や特開平９−２７３３２５に見られるように、前部の支柱があるため、車の出し入れが難しかったり、機構的、または輸送上に問題があり、下段高さが足りず、ワンボックスカーが入庫出来なかったりすることである。【０００３】また二段駐車装置は一般に機構が複雑なものも多く、高価なものとなっている。その上、使用に際しては、一般に女性には男性以上に不安感があり、ある程度の慣れを要し、簡単に扱えないことが難点でもある
【発明が解決しようとする課題】
【０００４】車両の荷台たるフロアープレートを水平かつ、垂直に昇降するシンプルな本アーム式二段駐車装置を発明することで、安価で、不安も無く、車高のある車もらくに収納できる、使い易い装置を考案することで、駐車スペースの効率化と安全に寄与する。
【課題を解決するための手段】
【０００５】まず、このアーム式二段駐車装置はある高さからフロアープレートを地面まで水平かつ、垂直に昇降できる機構として、メインアームとサブアームとが交差し、ピンで連結されているとともに、フロアープレートの左右の各側面の部位に長円形状のガイド孔が形成。また一対の支持枠の各側面の先端部位にも長円形状のガイド孔が形成され、さらに左右のメインアームの一端は回転軸の端部に固定され、その他端が前記のフロアープレートのガイド孔をスライド移動可能にピンにて連結されている。それと交差するサブアームはメインアームを変則的に挟むように交差中心部で回転可能な一体構造であるため、下側の一端は前記支持枠のガイド孔をスライド移動自在にピンにて連結され、その上側の他端はフロアープレート側面に連結されることで、フロアープレートを水平に保ちつつ、地面まで昇降させる機構を考案した。
【０００６】この装置は支持枠本体にフロアープレートが動作可能な状態で組み込まれた基本状態でも、工場やや建物での段差解消機などとしても利用できる上、この昇降機構の左右に脱着可能な必要高さの脚部（支柱）を設けることにより、輸送上の問題も無く下段の入庫高さを確保出来る、効果的なアーム式二段駐車装置を考案した。
【０００７】また支柱は前側は可能な限り後方にずらし、開放的で車庫入れし易い構造とし、機械的安全ロックも装備。以下、本発明に係るアーム式二段駐車装置の好適な実施例を図面に基づいて詳細に説明する。
【発明を実施するための形態】
【０００８】請求項１〜４記載の本発明に係る昇降装置の図面の説明として、図１はアームスライド式昇降装置の基本図で、平面（ａ）と側面（ｂ）を示し、図２はメインアーム、サブアームの組付け図、図３は二段駐車装置の平面（ａ）と側面（ｂ）を示し、図４は二段駐車装置としての斜視図である。
【０００９】請求項１に係るアーム式二段駐車装置の実施形態を説明する。
【００１０】図１において、本装置の荷台たるフロアープレート１を左右一対のアーム５及び６に連結してある高さＨで支持するプレート支持体はベース部２と両端にに各々平行配置で設けられた左右一対の支持枠１６とにより平面方向視形状がコ字状に形成され、前記ベース部２と左右の支持枠１６で囲まれた内部空所に嵌合する大きさのフロアープレート１が垂直方向の高さＨまで昇降自在である。
【００１１】請求項２に係るアーム式二段駐車装置の実施形態を説明する。
【００１２】同じく図１において、小アーム４が固定された回転軸３の両端が左右の各支持枠１６に亘って回動自在に支持され、昇降用油圧シリンダー７の一端が支持枠１６内にてピン１２にて固定され、その他端が前記の小アーム４にピン１１で連結されているとともに、回転軸３の端部に左右のメインアーム５の一端が固定され、その他端がフロアープレート１の左右の側面に各々ピン９で連結されており、昇降用油圧シリンダー７の伸縮動作にしたがって、小アーム４と回転軸３が回動するに伴い、左右のアーム５、６ａ，６ｂの他端とフロアープレート１が昇降自在に構成されている。
【００１３】請求項３に係るアーム式二段駐車装置の実施形態を説明する。
【００１４】図１及び図２において、昇降装置に組まれたアームはメインアーム５とサブアーム６ａ、６ｂから成り、互いに交差し、サブアームに固定されたピン１０で連結されていると共に、フロアープレート１の左右の各側面の先端寄り部位に長円形状のガイド孔１４が形成され、一対の支持枠１６の各側面の内側部位にも長円形状のガイド孔１５が形成され、前記各メインアーム５の一端は回転軸３の端部に固定され、その他端が前記フロアープレートのガイド孔１４をスライド移動可能にピン９にて連結（外側ベアリング入）され、それと交差するサブアーム６ａ，６ｂはメインアーム５を挟むように、交差中心部でピン１０と一体構造であり、メインアームと５と回動可能である。下側６ｂの一端は前記支持枠１６のガイド孔１５をスライド移動自在にピン１３にて連結（外側ベアリング入り）され、その上側の他端はフロアープレート１の側面に連結され、フロアープレートを水平に保ち、高さＨをほぼ垂直にスムーズに昇降させるものである。
【００１５】請求項４に係るアーム式二段駐車装置の実施形態を説明する。
【００１６】図３及び図４において、前記の昇降装置を基本に、車両の昇降に干渉しない位置に連結バー２１を設け、支持枠１６とでコ字状型にし、支柱２２を可能な限り車両後方に寄せて設置することで、Ｈ＝２０６０という安全で開放感のある二段式駐車装置が実現した。
【図面の簡単な説明】
【００１７】
【図１】アーム式二段駐車装置の基本図で、（ａ）は平面図（ｂ）は側面図である。
【図２】メインアーム、サブアームの組付け関係図である。
【図３】アーム式二段駐車装置としての（ａ）は平面図（ｂ）は側面図である。
【図４】前記アーム式二段駐車装置の斜視図である。
【符号の説明】
【００１８】Ｈ高さ
Ｇ地面
１フロアープレート
２本体ベース部
３回転軸
４小アーム
５メインアーム
６ａ，６ｂサブアーム
７昇降シリンダー
８連結ピン
９スライドピン
１０交差ピン
１１シリンダーロッド連結ピン
１２シリンダー固定ピン
１３支持枠ガイドピン
１４フロアープレート側スライド用長孔
１５支持枠側スライド用長孔
１６支持枠
２１支持枠連結バー
２２支柱
【図１】
2007309064.tif 000003
【図２】
2007309064.tif 000004
【図３】
2007309064.tif 000005
【図４】
2007309064.tif 000006